(57)【要約】【課題】利便性良好にモニタの前後方向傾斜角を適正な値に調整する。【解決手段】リモコンのＭＰＵ２６が、リモコンの長尺方向の水平方向に対する傾きであるリモコン角度を検出する傾斜検出部２６１と、検出されたリモコン角度をテレビジョン放送受信機１へ送信する送信部２６２と、を備え、テレビジョン放送受信機１のＭＰＵ１１が、送信部２６２からリモコン角度を受信し、受信したリモコン角度に基づき、前後方向傾斜角を設定する傾斜角設定部１１１と、ディスプレイの前後方向傾斜角を、傾斜角設定部１１１によって設定された前後方向傾斜角に略一致させるべく、ディスプレイを駆動する駆動制御部１１３と、を備えている。【選択図】図５
2008277945.tif 000002
【特許請求の範囲】
【請求項１】
外部から視認可能に映像を略平面状の画面に表示すると共に、前記画面を含む平面が鉛直方向となす角である前後方向傾斜角を調整可能に構成されたモニタと、
テレビジョン放送を受信して前記モニタに表示するテレビジョン放送受信機と、
前記テレビジョン放送受信機と通信可能に接続されたリモートコントローラと、
を有する放送受信システムであって、
前記リモートコントローラは、
該リモートコントローラの長尺方向の水平方向に対する傾きであるリモコン角度を検出する傾斜検出手段と、
前記傾斜検出手段によって検出されたリモコン角度を前記テレビジョン放送受信機へ送信する送信手段と、
を備え、
前記テレビジョン放送受信機は、
前記送信手段からリモコン角度を受信し、受信したリモコン角度に基づき、前記前後方向傾斜角を設定する傾斜角設定手段と、
前記モニタの前後方向傾斜角を、前記傾斜角設定手段によって設定された前後方向傾斜角に略一致させるべく、前記モニタを駆動する駆動制御手段と、
を備えることを特徴とする放送受信システム。
【請求項２】
前記傾斜角設定手段は、前記前後方向傾斜角を、前記送信手段から受信したリモコン角度に略一致するべく設定することを特徴とする請求項１に記載の放送受信システム。
【請求項３】
前記リモートコントローラは、
前記モニタの前後方向傾斜角を調整する場合に押下される第１調整指示キーを備え、
前記送信手段は、前記第１調整指示キーが押下された場合に限って、前記傾斜検出手段によって検出されたリモコン角度を前記テレビジョン放送受信機へ送信することを特徴とする請求項１又は請求項２に記載の放送受信システム。
【請求項４】
前記リモートコントローラは、
予め設定された複数のユーザ識別情報の中から、１のユーザ識別情報を選択する場合に押下されるユーザ選択キーと、
前記モニタの前後方向傾斜角を決定する場合に押下される決定キーを備え、
前記テレビジョン放送受信機は、
前記前後方向傾斜角をユーザ識別情報に対応付けて格納する角度記憶手段と、
前記傾斜角設定手段によって設定された前後方向傾斜角を、前記ユーザ識別情報と対応付けて前記角度記憶手段に記録する角度記録手段と、
を備え、
前記送信手段は、前記ユーザ選択キーが押下された場合に、前記ユーザ選択キーが押下された旨の信号であるユーザ選択信号を前記テレビジョン放送受信機へ送信すると共に、前記決定キーが押下された場合に、前記決定キーが押下された旨の信号である決定信号を前記テレビジョン放送受信機へ送信し、
前記角度記録手段は、前記送信手段から前記ユーザ選択信号及び決定信号を受信し、前記ユーザ選択信号及び決定信号が受信された場合に、前記傾斜角設定手段によって設定された前後方向傾斜角を、前記送信手段から受信したユーザ選択信号に対応するユーザ識別情報に対応付けて前記角度記憶手段に記録することを特徴とする請求項３に記載の放送受信システム。
【請求項５】
前記リモートコントローラは、
前記モニタの前後方向傾斜角を予め設定された値に調整する場合に押下される第２調整指示キーを備え、
前記送信手段は、前記第２調整指示キーが押下された場合に、前記第２調整指示キーが押下された旨の信号である設定指示信号を前記テレビジョン放送受信機へ送信し、
前記傾斜角設定手段は、前記送信手段から前記ユーザ選択信号及び設定指示信号を受信し、前記ユーザ選択信号及び設定指示信号が受信された場合に、前記ユーザ選択信号に対応する前後方向傾斜角を、前記角度記憶手段から読み出して設定することを特徴とする請求項４に記載の放送受信システム。
【発明の詳細な説明】
【技術分野】
【０００１】
本発明は、外部から視認可能に映像を略平面状の画面に表示すると共に、前記画面を含む平面が鉛直方向となす角である前後方向傾斜角を調整可能に構成されたモニタと、テレビジョン放送を受信して前記モニタに表示するテレビジョン放送受信機と、前記テレビジョン放送受信機と通信可能に接続されたリモートコントローラと、を有する放送受信システムに関する。
【背景技術】
【０００２】
従来、リモートコントローラを介して、外部から視認可能に映像を略平面状の画面に表示するモニタの画面を含む平面が鉛直方向となす角である前後方向傾斜角を調整する放送受信システムが知られている。
【０００３】
例えば、支持体に回動可能に配設された表示部を支持体に対して上下及び横方向の夫々へ回動可能とし、該表示部を上下方向へ回動させる第１の電動モータと、表示部を横方向へ回動させる第２の電動モータ、リモートコントローラから送信される表示部の角度調整信号を受信して第１の電動モータ及び第２の電動モータを駆動／停止制御する制御器とを備える構成とし、リモートコントローラの手動操作で表示部の回動角度を上下及び横方向の夫々へ調整可能としたテレビ装置が提案されている（特許文献１参照）。上記テレビ装置によれば、テレビ装置から離隔した位置で表示部の角度調整を自在に行うことができる。
【特許文献１】特開２００６−５７９５号公報
【発明の開示】
【発明が解決しようとする課題】
【０００４】
しかしながら、上記テレビ装置等の従来の放送受信システムにおいては、ユーザがリモートコントローラを操作して表示部（モニタに相当する）を適正な角度に調整する必要があるため、利便性が充分ではない場合があった。すなわち、モニタが適正な角度であるか否かをユーザが判断して、試行錯誤により適正な角度に調整する必要があった。また、モニタを視聴するユーザが変わる度に（又は、ユーザが視聴する位置を変える度に）、適正な角度に調整する必要があるため煩雑である場合があった。
【０００５】
本発明は、上記課題に鑑みてなされたものであって、利便性良好にモニタの前後方向傾斜角を適正な値に調整することができる放送受信システムを提供することを目的としている。
【課題を解決するための手段】
【０００６】
上記目的を達成するために請求項１に記載の放送受信システムは、外部から視認可能に映像を略平面状の画面に表示すると共に、前記画面を含む平面が鉛直方向となす角である前後方向傾斜角を調整可能に構成されたモニタと、テレビジョン放送を受信して前記モニタに表示するテレビジョン放送受信機と、前記テレビジョン放送受信機と通信可能に接続されたリモートコントローラと、を有する放送受信システムであって、前記リモートコントローラが、該リモートコントローラの長尺方向の水平方向に対する傾きであるリモコン角度を検出する傾斜検出手段と、前記傾斜検出手段によって検出されたリモコン角度を前記テレビジョン放送受信機へ送信する送信手段と、を備え、前記テレビジョン放送受信機が、前記送信手段からリモコン角度を受信し、受信したリモコン角度に基づき、前記前後方向傾斜角を設定する傾斜角設定手段と、前記モニタの前後方向傾斜角を、前記傾斜角設定手段によって設定された前後方向傾斜角に略一致させるべく、前記モニタを駆動する駆動制御手段と、を備えることを特徴としている。
【０００７】
請求項２に記載の放送受信システムは、請求項１に記載の放送受信システムであって、前記傾斜角設定手段が、前記前後方向傾斜角を、前記送信手段から受信したリモコン角度に略一致するべく設定することを特徴としている。
【０００８】
請求項３に記載の放送受信システムは、請求項１又は請求項２に記載の放送受信システムであって、前記リモートコントローラが、前記モニタの前後方向傾斜角を調整する場合に押下される第１調整指示キーを備え、前記送信手段が、前記第１調整指示キーが押下された場合に限って、前記傾斜検出手段によって検出されたリモコン角度を前記テレビジョン放送受信機へ送信することを特徴としている。
【０００９】
請求項４に記載の放送受信システムは、請求項３に記載の放送受信システムであって、前記リモートコントローラが、予め設定された複数のユーザ識別情報の中から、１のユーザ識別情報を選択する場合に押下されるユーザ選択キーと、前記モニタの前後方向傾斜角を決定する場合に押下される決定キーを備え、前記テレビジョン放送受信機が、前記前後方向傾斜角をユーザ識別情報に対応付けて格納する角度記憶手段と、前記傾斜角設定手段によって設定された前後方向傾斜角を、前記ユーザ識別情報と対応付けて前記角度記憶手段に記録する角度記録手段と、を備え、前記送信手段が、前記ユーザ選択キーが押下された場合に、前記ユーザ選択キーが押下された旨の信号であるユーザ選択信号を前記テレビジョン放送受信機へ送信すると共に、前記決定キーが押下された場合に、前記決定キーが押下された旨の信号である決定信号を前記テレビジョン放送受信機へ送信し、前記角度記録手段が、前記送信手段から前記ユーザ選択信号及び決定信号を受信し、前記ユーザ選択信号及び決定信号が受信された場合に、前記傾斜角設定手段によって設定された前後方向傾斜角を、前記送信手段から受信したユーザ選択信号に対応するユーザ識別情報に対応付けて前記角度記憶手段に記録することを特徴としている。
【００１０】
請求項５に記載の放送受信システムは、請求項４に記載の放送受信システムであって、前記リモートコントローラが、前記モニタの前後方向傾斜角を予め設定された値に調整する場合に押下される第２調整指示キーを備え、前記送信手段が、前記第２調整指示キーが押下された場合に、前記第２調整指示キーが押下された旨の信号である設定指示信号を前記テレビジョン放送受信機へ送信し、前記傾斜角設定手段が、前記送信手段から前記ユーザ選択信号及び設定指示信号を受信し、前記ユーザ選択信号及び設定指示信号が受信された場合に、前記ユーザ選択信号に対応する前後方向傾斜角を、前記角度記憶手段から読み出して設定することを特徴としている。
【発明の効果】
【００１１】
請求項１に記載の放送受信システムによれば、リモートコントローラの長尺方向の水平方向に対する傾きであるリモコン角度が検出され、検出されたリモコン角度がテレビジョン放送受信機へ送信される。そして、テレビジョン放送受信機において、リモコン角度が受信され、受信したリモコン角度に基づき、モニタの画面を含む平面が鉛直方向となす角である前後方向傾斜角が設定され、モニタの前後方向傾斜角を設定された前後方向傾斜角に略一致させるべくモニタが駆動されるため、利便性良好にモニタの前後方向傾斜角を適正な値に調整することができる。
【００１２】
すなわち、リモートコントローラの長尺方向の水平方向に対する傾きであるリモコン角度が検出され、検出されたリモコン角度に基づき、モニタの画面を含む平面が鉛直方向となす角である前後方向傾斜角が設定され、設定された前後方向傾斜角にモニタの前後方向傾斜角を略一致させるべくモニタが駆動されるため、ユーザが前後方向傾斜角を調整することなく前後方向傾斜角が適正な値に設定されるので、利便性良好にモニタの前後方向傾斜角を適正な値に調整することができるのである。
【００１３】
請求項２に記載の放送受信システムによれば、前後方向傾斜角が、リモートコントローラの長尺方向の水平方向に対する傾きであるリモコン角度に略一致するべく設定されるため、簡素な構成でモニタの前後方向傾斜角を更に適正な値に調整することができる。
【００１４】
すなわち、前後方向傾斜角がリモートコントローラの長尺方向の水平方向に対する傾きであるリモコン角度に略一致するべく設定されるため、ユーザがリモートコントローラの長尺方向をモニタの配設されている位置に正確に向けることによって、モニタの画面を含む平面がリモートコントローラの長尺方向と直行するべく調整されるので、簡素な構成でモニタの前後方向傾斜角を更に適正な値に調整することができるのである（図６参照）。
【００１５】
請求項３に記載の放送受信システムによれば、モニタの前後方向傾斜角を調整する場合に第１調整指示キーが押下され、第１調整指示キーが押下された場合に限って、検出されたリモコン角度がテレビジョン放送受信機へ送信され、検出されたリモコン角度に基づき、モニタの画面を含む平面が鉛直方向となす角である前後方向傾斜角が設定され、設定された前後方向傾斜角にモニタの前後方向傾斜角を略一致させるべくモニタが駆動されるため、ユーザが前後方向傾斜角の調整を所望する場合（＝第１調整指示キーが押下された場合）に限って前後方向傾斜角の調整が行われるので、更に利便性良好に前後方向傾斜角を適正な値に調整することができる。
【００１６】
請求項４に記載の放送受信システムによれば、リモートコントローラにおいて、予め設定された複数のユーザ識別情報の中から、１のユーザ識別情報を選択する場合にユーザ選択キーが押下され、ユーザ選択キーが押下された場合に、ユーザ選択キーが押下された旨の信号であるユーザ選択信号がテレビジョン放送受信機へ送信される。また、モニタの前後方向傾斜角を決定する場合に決定キーが押下され、決定キーが押下された場合に、決定キーが押下された旨の信号である決定信号がテレビジョン放送受信機へ送信される。そして、テレビジョン放送受信機において、ユーザ選択信号及び決定信号が受信された場合に、設定された前後方向傾斜角が、選択されたユーザ識別情報と対応付けて角度記憶手段に記録されるため、更に利便性良好に前後方向傾斜角を適正な値に調整することが可能となる。
【００１７】
すなわち、設定された前後方向傾斜角が、選択されたユーザ識別情報と対応付けて角度記憶手段に記録されるため、ユーザが、自分が視聴するのに適した前後方向傾斜角を角度記憶手段から読み出して設定することが可能となるので、更に利便性良好に前後方向傾斜角を適正な値に調整することが可能となるのである。
【００１８】
請求項５に記載の放送受信システムによれば、リモートコントローラにおいて、モニタの前後方向傾斜角を予め設定された値に調整する場合に第２調整指示キーが押下され、第２調整指示キーが押下された場合に、第２調整指示キーが押下された旨の信号である設定指示信号がテレビジョン放送受信機へ送信される。そして、テレビジョン放送受信機において、ユーザ選択信号及び設定指示信号が受信された場合に、ユーザ選択信号に対応する前後方向傾斜角が、角度記憶手段から読み出されて設定されるため、更に利便性良好に前後方向傾斜角を適正な値に調整することができる。
【００１９】
すなわち、ユーザ選択キーが押下された旨の信号であるユーザ選択信号、及び、前後方向傾斜角を予め設定された値に調整する場合に押下される第２調整指示キーが押下された旨の信号である設定指示信号が受信された場合に、ユーザ選択信号に対応する前後方向傾斜角が、角度記憶手段から読み出されて設定されるため、ユーザが、リモートコントローラに配設されたユーザ選択キー及び第２調整指示キーを押下することによって、自分が視聴するのに適した前後方向傾斜角を角度記憶手段から読み出して設定することができるので、更に利便性良好に前後方向傾斜角を適正な値に調整することができるのである。
【発明を実施するための最良の形態】
【００２０】
以下に本発明の実施形態を、図面を参照しながら説明する。図１は、本発明に係る放送受信システムの構成の一例を示すブロック図である。放送受信システムは、テレビジョン放送受信機１と、テレビジョン放送受信機１と赤外線通信を介して通信可能に接続されたリモートコントローラ（＝Ｒｅｍｏｔｅｃｏｎｔｒｏｌｌｅｒ：以下、「リモコン」という）２と、テレビジョン放送受信機１と通信可能に接続された出力装置３と、を備えている。
【００２１】
テレビジョン放送受信機１は、リモコン２を介してユーザからの操作入力を受け付けて、受け付けた操作入力に基づいて、テレビジョン放送を受信し、出力装置３に対して映像及び音声を出力するものである。
【００２２】
出力装置３は、ディスプレイ３１及びスピーカ３２を備え、テレビジョン放送受信機１から入力された音声情報及び映像情報を出力するものである。ディスプレイ３１（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等を備え、テレビジョン放送受信機１から入力された映像情報を外部から視認可能に表示するものである。スピーカ３２は、テレビジョン放送受信機１から入力された音声情報を出力するものである。
【００２３】
リモコン２は、ユーザからの操作入力を受け付けて、受け付けられた操作入力に対応する赤外線信号を生成して、テレビジョン放送受信機１に対して出力するものである。
【００２４】
また、テレビジョン放送受信機１は、ＭＰＵ１１、ＲＡＭ１２、ＲＯＭ１３、操作部１４、受信部１５、音声出力部１６、ＭＰＥＧ２デコード部１７、及び、画像出力部１８を備えている。
【００２５】
ＭＰＵ（Ｍｉｃｒｏ  Ｐｒｏｃｅｓｓｉｎｇ  Ｕｎｉｔ）１１は、テレビジョン放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２６】
操作部１４は、ディスプレイ３１の前後方向傾斜角の調整操作、電源のＯＮ、ＯＦＦ操作、選局、各種設定等の各種操作を受け付けるものである。また、操作部１４は、赤外線通信を介して、リモコン２からの操作信号を受け付けて、各種操作を受け付けるものである。受信部１５は、デジタル方式のテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００２７】
アンテナ部１５１は、テレビジョン放送波を受信するものである。チューナ部１５２は、アンテナ部１５１で受信されたテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００２８】
音声出力部１６は、受信部１５によって受信されたテレビジョン放送に対応する音声信号をスピーカ３２に対して出力するものであって、Ｄ／Ａ変換部１６１、及び、音声信号出力部１６２を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号をスピーカ３２に対して出力するものである。
【００２９】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された映像情報を圧縮前の映像情報に復号化するものである。
【００３０】
画像出力部１８は、ＭＰＥＧ２デコード部１７によって復号化された映像信号をディスプレイ３１に対して出力するものであって、ＮＴＳＣエンコード部１８１、及び、映像信号出力部１８２を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された映像情報をＮＴＳＣ方式のテレビジョン信号に変換するものである。映像信号出力部１８２は、ＮＴＳＣエンコード部１８１から出力されたＮＴＳＣ方式のテレビジョン信号をディスプレイ３１に対して出力するものである。
【００３１】
次に、テレビジョン放送受信機１が放送を受信する場合の動作について説明する。まず、送信されてきたデジタル放送波がアンテナ部１５１で受信される。操作部１４を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等を含み、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ３２から音声が出力される。
【００３３】
また、ＲＡＭ１２から読み出された映像情報がＭＰＥＧ２デコード部１７によって圧縮前の映像情報に復号化され、ＮＴＳＣエンコード部１８１によってＮＴＳＣ方式のテレビジョン信号に変換されて、映像信号出力部１８２を介してディスプレイ３１に映像が表示される。
【００３４】
図２は、リモコン２の外観の一例を示す平面図である。リモコン２は、赤外線信号出力部２０と、テンキー２１、エンターキー２２、方向キー２３、セットアップキー２４、及び、メニューキー２５を備えている。赤外線信号出力部２０（送信手段の一部に相当する）は、ユーザによって押下されたキーに対応する操作信号を生成し、赤外線信号に変換してテレビジョン放送受信機１に対して送信するものである。
【００３５】
テンキー２１（ユーザ選択キーの一部に相当する）は、「０」〜「９」の数字を受け付けるキーであって、ユーザ識別番号（ユーザ識別情報に相当する）、チャンネル番号等を入力する場合に押下されるキーである。エンターキー２２（決定キーに相当する）は、ディスプレイ３１の前後方向傾斜角を決定する場合に押下されるキーである。
【００３６】
方向キー２３（第１調整指示キーに相当する）は、ディスプレイ３１の前後方向傾斜角を調整する場合に押下されるキーである。セットアップキー２４（第２調整指示キーに相当する）は、ディスプレイ３１の前後方向傾斜角を予め設定された値（図５を用いて後述する角度記憶部１２１に格納された値）に調整する場合に押下されるキーである。
【００３７】
メニューキー２５（ユーザ選択キーの一部に相当する）は、テレビジョン放送受信機１の視聴制限条件等の各種機能を設定する場合にメニュー画面を表示させるべく押下されるキーであって、ここでは、予め設定された複数の（例えば、１０個の）ユーザ識別情報（ここでは、ユーザ識別番号「０」〜「９」）の中から、１のユーザ識別情報を選択する場合に押下されるキーである。
【００３８】
図３は、図２に示すリモコン２の電気的構成の一例を示す構成図である。リモコン２は、ＭＰＵ２６、ＲＯＭ２７、角度検出センサ２８、及び、キー押下検出部２９を備えている。ＭＰＵ（Ｍｉｃｒｏ  Ｐｒｏｃｅｓｓｉｎｇ  Ｕｎｉｔ）２６は、リモコン２全体の動作を制御するものである。ＲＯＭ（Ｒｅａｄ  Ｏｎｌｙ  Ｍｅｍｏｒｙ）２７は、ＭＰＵ２６を動作させる制御プログラム等を格納するものである。
【００３９】
角度検出センサ（傾斜検出手段の一部に相当する）２８は、例えば、ジャイロセンサ等の加速度センサであって、リモコン２の長尺方向の水平方向に対する傾きであるリモコン角度θ１（図６参照）を検出するものである。キー押下検出部２９は、図２に示すテンキー２１、エンターキー２２、方向キー２３、セットアップキー２４、メニューキー２５等の各種キーが押下されたことを検出するものであって、各種キーに対応する操作検出信号をＭＰＵ２６に出力するものである。
【００４０】
図４は、図１に示す出力装置３の構成の一例を示す構成図である。（ａ）は、出力装置３の正面図である。出力装置３は、図１に示すディスプレイ３１及びスピーカ３２に加えて、台座３３を備えている。台座３３は、ディスプレイ３１及びスピーカ３２が係止されて支持すると共に、ディスプレイ３１の画面を含む平面が鉛直方向となす角である前後方向傾斜角を調整するものである。
【００４１】
図４（ｂ）は、台座３３の上面図である。台座３３には、前面側に２本の支柱３４が配設され、後面側には、２本の支柱３５が配設され、支柱３４及び支柱３５によって載置された床面上に支持されている。図４（ｃ）は、図４（ｂ）のＡ−Ａ断面図である。支柱３４は、駆動モータ３４１、ギア部材３４２、支持部材３４３を備えている。駆動モータ３４１は、テレビジョン放送受信機１のＭＰＵ１１（後述する駆動制御部１１３）からの指示に基づいて駆動されるものであって、駆動軸がギア部材３４２に係止されている。
【００４２】
ギア部材３４２は、駆動モータ３４１の駆動軸に係止されると共に、支持部材３４３と螺接され、駆動モータ３４１の回転に伴って、支持部材３４３を上下動させるものである。支持部材３４３は、下端部が床面に当接して台座３３を支持するものであって、支持部材３４３と螺接され、駆動モータ３４１の回転に伴って上下動されるものである。
【００４３】
すなわち、テレビジョン放送受信機１のＭＰＵ１１（後述する駆動制御部１１３）からの指示に基づいて駆動モータ３４１が駆動されることによって、支持部材３４３が上下動され、台座３３の前面側が上下動して、ディスプレイ３１の画面を含む平面が鉛直方向となす角である前後方向傾斜角を調整可能に構成されているのである。
【００４４】
図５は、本発明に係る放送受信システムにおける主要部の機能構成の一例を示すブロック図である。リモコン２のＭＰＵ２６は、機能的に、傾斜検出部２６１、及び、送信部２６２を備えている。また、テレビジョン放送受信機１のＭＰＵ１１は、機能的に、傾斜角設定部１１１、角度記録部１１２、及び、駆動制御部１１３を備え、ＲＡＭ１２は、機能的に、角度記憶部１２１を備えている。
【００４５】
ここでは、ＭＰＵ２６が、図３に示すＲＯＭ２７等に予め格納された制御プログラムを読み出して実行することにより、傾斜検出部２６１、送信部２６２等の機能部として機能するものである。また、ＭＰＵ１１が、図１に示すＲＯＭ１３等に予め格納された制御プログラムを読み出して実行することにより、傾斜角設定部１１１、角度記録部１１２、駆動制御部１１３等の機能部として機能すると共に、ＲＡＭ１２を、角度記憶部１２１等の機能部として機能させるものである。
【００４６】
また、図３に示すＲＯＭ２７、図１に示すＲＡＭ１２、ＲＯＭ１３等に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００４７】
傾斜検出部２６１（傾斜検出手段の一部に相当する）は、角度検出センサ２８（図３参照）を介して、リモコン２の長尺方向の水平方向に対する傾きであるリモコン角度θ１を検出するものである。
【００４８】
送信部２６２（送信手段の一部に相当する）は、図３に示すキー押下検出部２９を介して、図２に示す方向キー２３（第１調整指示キーに相当する）が押下されたか否かを判定し、方向キー２３が押下されたと判定された場合に限って、傾斜検出部２６１によって検出されたリモコン角度θ１を、赤外線信号出力部２０を介して、テレビジョン放送受信機１のＭＰＵ１１へ送信するものである。
【００４９】
また、送信部２６２は、図３に示すキー押下検出部２９を介して、図２に示すメニューキー２５及びテンキー２１（ユーザ選択キーに相当する）が押下されたか否かを判定し、ユーザ選択キーが押下されたと判定された場合に、ユーザを選択するキーが押下された旨の信号であるユーザ選択信号をテレビジョン放送受信機１へ送信するものである。更に、図３に示すキー押下検出部２９を介して、図２に示すエンターキー２２（決定キーに相当する）が押下されたか否かを判定し、エンターキー２２が押下されたと判定された場合に、決定キーが押下された旨の信号である決定信号をテレビジョン放送受信機１へ送信するものである。
【００５０】
加えて、送信部２６２は、図３に示すキー押下検出部２９を介して、図２に示すセットアップキー２４（第２調整指示キーに相当する）が押下されたか否かを判定し、セットアップキー２４が押下されたと判定された場合に、第２調整指示キーが押下された旨の信号である（＝前後方向傾斜角を予め設定された値に調整する旨の信号である）設定指示信号をテレビジョン放送受信機１へ送信するものである。
【００５１】
角度記憶部１２１（角度記憶手段に相当する）は、ディスプレイ３１の画面を含む平面が鉛直方向となす角である前後方向傾斜角情報を、ユーザ識別番号情報に対応付けて格納するものである。なお、角度記憶部１２１に格納される前後方向傾斜角情報及びユーザ識別番号情報は、角度記録部１１２によって記録されるものであり、また、角度記憶部１２１に格納される前後方向傾斜角情報は、駆動制御部１１３によって読み出されるものである。
【００５２】
傾斜角設定部１１１（傾斜角設定手段に相当する）は、送信部２６２から赤外線信号出力部２０を介して、リモコン角度θ１を受信し、受信したリモコン角度θ１に基づき、ディスプレイ３１の画面を含む平面が鉛直方向となす角である前後方向傾斜角θ２を設定するものである。ここでは、傾斜角設定部１１１は、前後方向傾斜角θ２を、送信部２６２から受信したリモコン角度θ１に一致するべく設定するものである（図６参照）。
【００５３】
また、傾斜角設定部１１１は、送信部２６２からユーザ選択信号及び第２調整指示キーが押下された旨の信号である（＝前後方向傾斜角を予め設定された値に調整する旨の信号である）設定指示信号が受信されたか否かを判定し、ユーザ選択信号及び設定指示信号が受信されたと判定された場合に、受信されたユーザ選択信号（ユーザ識別情報＝ユーザ識別番号情報）に対応する前後方向傾斜角を、角度記憶部１２１から読み出して設定するものである。
【００５４】
角度記録部１１２（角度記録手段に相当する）は、送信部２６２からユーザ選択信号及び決定信号が受信されたか否かを判定し、ユーザ選択信号及び決定信号が受信されたと判定された場合に、傾斜角設定部１１１によって設定された前後方向傾斜角を、送信部２６２から受信したユーザ選択信号に対応するユーザ識別情報（ここでは、ユーザ識別番号情報）に対応付けて角度記憶部１２１に記録するものである。
【００５５】
駆動制御部１１３（駆動制御手段に相当する）は、ディスプレイ３１の前後方向傾斜角θ２を、傾斜角設定部１１１によって設定された前後方向傾斜角θ２に一致させるべく、図４に示す駆動モータ３４１を介して、ディスプレイ３１を駆動するものである。
【００５６】
図６は、傾斜角設定部１１１によって設定される前後方向傾斜角θ２と、傾斜検出部２６１によって検出されるリモコン角度θ１との関係を示す説明図である。（ａ）は、リモコン角度θ１及び前後方向傾斜角θ２が「０」である場合の図であり、（ｂ）は、リモコン角度θ１及び前後方向傾斜角θ２が「１０度」である場合の図である。これらの図に示すように、ディスプレイ３１の画面を含む平面が鉛直方向となす角である前後方向傾斜角θ２を、リモコン２の長尺方向の水平方向に対する傾きであるリモコン角度θ１と一致させるべく設定することによって、ディスプレイ３１の画面を含む平面がリモコン２の長尺方向と直行するべく調整されるため、前後方向傾斜角θ２を適正な値に設定することができるのである。
【００５７】
図７は、放送受信システム（主にＭＰＵ１１）のユーザ毎の傾斜角設定動作の一例を示すフローチャートである。まず、送信部２６２によって、第１調整指示キー（ここでは、図２に示す方向キー２３）が押下されたか否かの判定が行われる（Ｓ１０１）。第１調整指示キーが押下されていないと判定された場合（Ｓ１０１でＮＯ）には、処理が待機状態とされる。第１調整指示キーが押下されたと判定された場合（Ｓ１０１でＹＥＳ）には、送信部２６２によって傾斜検出部２６１により検出されたリモコン角度θ１が送信され、傾斜角設定部１１１によってリモコン角度θ１が受信される（Ｓ１０３）。
【００５８】
そして、傾斜角設定部１１１によって、ステップＳ１０３において受信されたリモコン角度θ１に基づいて前後方向傾斜角θ２が設定される（Ｓ１０５）。次いで、駆動制御部１１３によって、ディスプレイ３１の前後方向傾斜角θ２が、ステップＳ１０５において設定された前後方向傾斜角θ２に一致させるべくディスプレイ３１が駆動される（Ｓ１０７）。
【００５９】
次に、角度記録部１１２によって、ユーザ選択信号が受信されたか否か（＝ユーザ選択キー（ここでは、メニューキー２５及びテンキー２１）が押下されたか否か）の判定が行われる（Ｓ１０９）。ユーザ選択信号が受信されていないと判定された場合（Ｓ１０９でＮＯ）には、処理がステップＳ１０１に戻され、ステップＳ１０１以降の処理が繰り返し実行される。ユーザ選択信号が受信されたと判定された場合（Ｓ１０９でＹＥＳ）には、角度記録部１１２によって、決定信号が受信されたか否か（＝決定キー（ここでは、図２に示すエンターキー２２）が押下されたか否か）が判定される（Ｓ１１１）。
【００６０】
決定信号が受信されていないと判定された場合（Ｓ１１１でＮＯ）には、処理がステップＳ１０１に戻され、ステップＳ１０１以降の処理が繰り返し実行される。決定信号が受信されたと判定された場合（Ｓ１１１でＹＥＳ）には、角度記録部１１２によって、ステップＳ１０５において設定された前後方向傾斜角θ２が、ステップＳ１０９において受信されたユーザ選択信号に対応するユーザ識別情報（ここでは、ユーザ識別番号情報）に対応付けて角度記憶部１２１に記録され（Ｓ１１３）、処理が終了される。
【００６１】
図８は、放送受信システム（主にＭＰＵ１１）のユーザ毎の傾斜角調整動作の一例を示すフローチャートである。まず、傾斜角設定部１１１によって、ユーザ選択信号が受信されたか否か（＝ユーザ選択キー（ここでは、メニューキー２５及びテンキー２１）が押下されたか否か）の判定が行われる（Ｓ２０１）。ユーザ選択信号が受信されていないと判定された場合（Ｓ２０１でＮＯ）には、処理が待機状態とされる。ユーザ選択信号が受信されたと判定された場合（Ｓ２０１でＮＯ）には、傾斜角設定部１１１によって、設定指示信号が受信されたか否か（＝第２調整指示キー（ここでは、図２に示すセットアップキー２４）が押下されたか否か）が判定される（Ｓ２０３）。
【００６２】
設定指示信号が受信されていないと判定された場合（Ｓ２０３でＮＯ）には、処理がステップＳ２０１に戻され、ステップＳ２０１以降の処理が繰り返し実行される。設定指示信号が受信されたと判定された場合（Ｓ２０３でＹＥＳ）には、傾斜角設定部１１１によってステップＳ２０１において受信されたユーザ選択信号（ユーザ識別情報＝ユーザ識別番号情報）に対応する前後方向傾斜角θ２が、角度記憶部１２１から読み出されて設定される（Ｓ２０５）。そして、駆動制御部１１３によって、ディスプレイ３１の前後方向傾斜角θ２が、ステップＳ２０５において設定された前後方向傾斜角θ２に一致させるべくディスプレイ３１が駆動され（Ｓ２０７）、処理が終了される。
【００６３】
このようにして、リモコン２の長尺方向の水平方向に対する傾きであるリモコン角度θ１が検出され、検出されたリモコン角度θ１がテレビジョン放送受信機１へ送信される。そして、テレビジョン放送受信機１において、リモコン角度θ１が受信され、受信したリモコン角度θ１に基づき、ディスプレイ３１の画面を含む平面が鉛直方向となす角である前後方向傾斜角θ２が設定され、ディスプレイ３１の前後方向傾斜角θ２を設定された前後方向傾斜角θ２に略一致させるべくディスプレイ３１が駆動されるため、利便性良好にディスプレイ３１の前後方向傾斜角θ２を適正な値に調整することができる。
【００６４】
すなわち、リモコン２の長尺方向の水平方向に対する傾きであるリモコン角度θ１が検出され、検出されたリモコン角度θ１に基づき、ディスプレイ３１の画面を含む平面が鉛直方向となす角である前後方向傾斜角θ２が設定され、設定された前後方向傾斜角θ２にディスプレイ３１の前後方向傾斜角θ２を略一致させるべくディスプレイ３１が駆動されるため、ユーザが前後方向傾斜角θ２を調整することなく前後方向傾斜角θ２が適正な値に設定されるので、利便性良好にディスプレイ３１の前後方向傾斜角θ２を適正な値に調整することができるのである。
【００６５】
また、前後方向傾斜角θ２が、リモコン２の長尺方向の水平方向に対する傾きであるリモコン角度θ１に一致するべく設定されるため、簡素な構成でディスプレイ３１の前後方向傾斜角を更に適正な値に調整することができる。
【００６６】
すなわち、前後方向傾斜角θ２がリモコン２の長尺方向の水平方向に対する傾きであるリモコン角度θ１に一致するべく設定されるため、ユーザがリモコン２の長尺方向をディスプレイ３１の配設されている位置に正確に向けることによって、ディスプレイ３１の画面を含む平面がリモコン２の長尺方向と直行するべく調整されるので、簡素な構成でディスプレイ３１の前後方向傾斜角θ２を更に適正な値に調整することができるのである（図６参照）。
【００６７】
更に、ディスプレイ３１の前後方向傾斜角θ２を調整する場合に第１調整指示キー（ここでは、図２に示す方向キー２３）が押下され、第１調整指示キーが押下された場合に限って、検出されたリモコン角度θ１がテレビジョン放送受信機１へ送信され、検出されたリモコン角度θ１に基づき、ディスプレイ３１の画面を含む平面が鉛直方向となす角である前後方向傾斜角θ２が設定され、設定された前後方向傾斜角θ２にディスプレイ３１の前後方向傾斜角θ２を略一致させるべくディスプレイ３１が駆動されるため、ユーザが前後方向傾斜角θ２の調整を所望する場合（＝第１調整指示キーが押下された場合）に限って前後方向傾斜角の調整が行われるので、更に利便性良好に前後方向傾斜角を適正な値に調整することができる。
【００６８】
加えて、リモコン２において、予め設定された複数の（ここでは、１０個の）ユーザ識別情報（ここでは、ユーザ識別番号情報）の中から、１のユーザ識別情報を選択する場合にユーザ選択キー（ここでは、図２に示すテンキー２１及びメニューキー２５）が押下され、ユーザ選択キーが押下された場合に、ユーザ選択キーが押下された旨の信号であるユーザ選択信号がテレビジョン放送受信機１へ送信される。また、ディスプレイ３１の前後方向傾斜角θ２を決定する場合に決定キー（ここでは、図２に示すエンターキー２２）が押下され、決定キーが押下された場合に、決定キーが押下された旨の信号である決定信号がテレビジョン放送受信機１へ送信される。そして、テレビジョン放送受信機１において、ユーザ選択信号及び決定信号が受信された場合に、設定された前後方向傾斜角θ２が、選択されたユーザ識別情報と対応付けて角度記憶部１２１に記録されるため、更に利便性良好に前後方向傾斜角θ２を適正な値に調整することが可能となる。
【００６９】
すなわち、設定された前後方向傾斜角θ２が、選択されたユーザ識別情報と対応付けて角度記憶部１２１に記録されるため、ユーザが、自分が視聴するのに適した前後方向傾斜角θ２を角度記憶部１２１から読み出して設定することが可能となるので、更に利便性良好に前後方向傾斜角θ２を適正な値に調整することが可能となるのである。
【００７０】
また、リモコン２において、ディスプレイ３１の前後方向傾斜角θ２を予め設定された値に調整する場合に第２調整指示キー（ここでは、図２に示すセットアップキー２４）が押下され、第２調整指示キーが押下された場合に、第２調整指示キーが押下された旨の信号である設定指示信号がテレビジョン放送受信機１へ送信される。そして、テレビジョン放送受信機１において、ユーザ選択信号及び設定指示信号が受信された場合に、ユーザ選択信号に対応する前後方向傾斜角θ２が、角度記憶部１２１から読み出されて設定されるため、更に利便性良好に前後方向傾斜角θ２を適正な値に調整することができる。
【００７１】
すなわち、ユーザ選択キー（ここでは、図２に示すテンキー２１及びメニューキー２５）が押下された旨の信号であるユーザ選択信号、及び、前後方向傾斜角θ２を予め設定された値に調整する場合に押下される第２調整指示キーが押下された旨の信号である設定指示信号が受信された場合に、ユーザ選択信号に対応する前後方向傾斜角θ２が、角度記憶部１２１から読み出されて設定されるため、ユーザが、リモコン２に配設されたユーザ選択キー及び第２調整指示キーを押下することによって、自分が視聴するのに適した前後方向傾斜角θ２を角度記憶部１２１から読み出して設定することができるので、更に利便性良好に前後方向傾斜角θ２を適正な値に調整することができるのである。
【００７２】
なお、本発明は、以下の形態にも適用可能である。
（Ａ）本実施形態では、ＭＰＵ１１が、傾斜角設定部１１１、角度記録部１１２、駆動制御部１１３等の機能部として機能する場合について説明したが、傾斜角設定部１１１、角度記録部１１２、及び、駆動制御部１１３の内、少なくとも１の機能部が、回路等のハードウェアによって構成されている形態でもよい。
【００７３】
（Ｂ）本実施形態では、ＭＰＵ２６が、傾斜検出部２６１、送信部２６２等の機能部として機能する場合について説明したが、傾斜検出部２６１、及び、送信部２６２の内、少なくとも１の機能部が、回路等のハードウェアによって構成されている形態でもよい。
【００７４】
（Ｃ）本実施形態では、傾斜角設定部１１１が、前後方向傾斜角θ２をリモコン角度θ１に一致するべく設定する場合について説明したが、傾斜角設定部１１１が、受信したリモコン角度θ１に基づき前後方向傾斜角θ２を設定する形態であればよい。例えば、上方からの照明光をディスプレイ３１の画面が極力反射しないように、前後方向傾斜角θ２をリモコン角度θ１以下（例えば、前後方向傾斜角θ２＝リモコン角度θ１−α：αは固定角度（例えば、１度））に設定する形態でもよい。
【００７５】
また、傾斜角設定部１１１が、リモコン角度θ１の値の範囲に対応付けて、前後方向傾斜角θ２を設定する形態でもよい。例えば、リモコン角度θ１が、０〜５度の場合には、前後方向傾斜角θ２を０度に設定し、リモコン角度θ１が、５〜１０度の場合には、前後方向傾斜角θ２を５度に設定する形態でもよい。
【図面の簡単な説明】
【００７６】
【図１】は、本発明に係る放送受信システムの構成の一例を示すブロック図である。
【図２】は、リモコンの外観の一例を示す平面図である。
【図３】は、図２に示すリモコンの電気的構成の一例を示す構成図である。
【図４】は、図１に示す出力装置の構成の一例を示す構成図である。
【図５】は、本発明に係る放送受信システムにおける主要部の機能構成の一例を示すブロック図である。
【図６】は、傾斜角設定部によって設定される前後方向傾斜角θ２と、傾斜検出部によって検出されるリモコン角度θ１との関係を示す説明図である。
【図７】は、放送受信システム（主にＭＰＵ）のユーザ毎の傾斜角設定動作の一例を示すフローチャートである。
【図８】は、放送受信システム（主にＭＰＵ）のユーザ毎の傾斜角調整動作の一例を示すフローチャートである。
【符号の説明】
【００７７】
１    テレビジョン放送受信機
１１    ＭＰＵ
１１１    傾斜角設定部（傾斜角設定手段）
１１２    角度記録部（角度記録手段）
１１３    駆動制御部（駆動制御手段）
１２    ＲＡＭ
１２１    角度記憶部（角度記憶手段）
２    リモコン（リモートコントローラ）
２０    赤外線信号出力部（送信手段の一部）
２１    テンキー（ユーザ選択キーの一部）
２２    エンターキー（決定キー）
２３    方向キー（第１調整指示キー）
２４    セットアップキー（第２調整指示キー）
２５    メニューキー（ユーザ選択キーの一部）
２６    ＭＰＵ
２６１    傾斜検出部（傾斜検出手段の一部）
２６２    送信部（送信手段の一部）
２８    角度検出センサ（傾斜検出手段の一部）
３    出力装置
３１    ディスプレイ（モニタ）
３３    台座
３４    支柱
３４１    駆動モータ
３５    支柱
【図１】
2008277945.tif 000003
【図２】
2008277945.tif 000004
【図３】
2008277945.tif 000005
【図４】
2008277945.tif 000006
【図５】
2008277945.tif 000007
【図６】
2008277945.tif 000008
【図７】
2008277945.tif 000009
【図８】
2008277945.tif 000010